(57)【要約】【課題】作動時の擦れ音の発生を無くすと共に、ばね力がモータのトルクに影響を与えることがないワイヤの張力調整機構を有する電動スライドドアの開閉装置を提供する。【解決手段】フロントシーブユニット１２は２枚のプレート１３，１３の間に方向変換用の滑車１４ａ，１４ｂが設置されており、この滑車１４ａ，１４ｂの間に張力調整用の滑車１５が設置された構成としている。また、張力調整用の滑車１５はその両側を捻りばね１６，１６から伸びるレバー１６ａ，１６ａによって付勢され円弧状の溝１７に沿って摺動することができるようになっている。【選択図】図２
2004162478.tif 000002
【特許請求の範囲】
【請求項１】
スライドドアにヒンジを介して連結されたワイヤと、このワイヤが巻き回されモータにより駆動される巻取り部とを備え、前記モータを正逆回転して前記スライドドアを開閉するスライドドアの開閉装置であって、
ワイヤの方向変換をするためにガイドレールの一端に方向変換用の滑車を有するフロントシーブユニットを設置し、他端に方向変換用の滑車を有するリアシーブユニットを設置し、フロントシーブユニットとリアシーブユニットとの中間に前記巻取り部を設置したものであって、該フロントシーブユニットとリアシーブユニットとの各々にワイヤの張力を調節するための張力調整機構を設置したことを特徴とする電動スライドドアの開閉装置。
【請求項２】
フロントシーブユニットとリアシーブユニットとの各々に設置された張力調整機構は、捻りばねと、該捻りばねに付勢された滑車と、該滑車が移動する摺動溝とを有し、ワイヤが弛んだ場合には捻りばねの付勢する方向に滑車が移動し、ワイヤが緊張した場合には捻りばねの付勢する方向とは逆の方向に滑車が移動することを特徴とする請求項１に記載の電動式スライドドアの開閉装置。
【発明の詳細な説明】
【０００１】
【発明の属する技術分野】
本発明は、スライドドアに連結したワイヤをモータによって駆動される巻取り部によって正逆両方向に巻取ることによってスライドドアを開閉する電動スライドドアの開閉装置に関するものである。
【０００２】
【従来の技術】
従来より、ワイヤを使用した電動式スライドドアではドアの開閉動作時に弛みが発生し、この弛みを放置して開閉動作を繰り返すとワイヤが巻取りドラムに噛み込んで故障の原因となることから、ワイヤの弛み取り機構は必須の構成要素である。このワイヤの弛み取り機構にはワイヤの進行方向に対して直角の方向にワイヤを引いて弛みを吸収する方法が知られている（例えば、特許文献１参照。）。
【０００３】
【特許文献１】
特開２００２−７０４１９号公報
【０００４】
また、図１０及び図１１に示すように所定のばね定数を有するばね１を筒２の中に入れて、この筒２の内部に設置された移動自在のワイヤチューブ保持部材３でワイヤチューブ５を保持し、ワイヤ４の張力に対応してばね１が伸縮し、ワイヤ４の弛みを吸収する方法も知られている。
【０００５】
【発明が解決しようとする課題】
しかしながら、上記いずれの構成でもばね１によってワイヤ４に弛みを取る以上の力が付加されることになるので、その分のトルクがモータ６に必要とされる。
【０００６】
また、同様の理由からスライドドア７を手動で開閉させる時にばね１によって付加される力分だけ重たくなる。
【０００７】
さらに、ばね１を筒２の中に入れた従来例ではスライドドアの開閉時にばね１と筒２との間で擦れ音が生じるため耳障りである。
【０００８】
本発明は上記点に鑑み、作動時の擦れ音の発生を無くすと共に、ばね力がモータのトルクに影響を与えることがないワイヤの張力調整機構を有する電動スライドドアの開閉装置を提供することを目的とする。
【０００９】
【課題を解決するための手段】
請求項１の発明は、スライドドアにヒンジを介して連結されたワイヤと、このワイヤが巻き回されモータにより駆動される巻取り部とを備え、前記モータを正逆回転して前記スライドドアを開閉するスライドドアの開閉装置であって、
ワイヤの方向変換をするためにガイドレールの一端に方向変換用の滑車を有するフロントシーブユニットを設置し、他端に方向変換用の滑車を有するリアシーブユニットを設置し、フロントシーブユニットとリアシーブユニットとの中間に前記巻取り部を設置したものであって、該フロントシーブユニットとリアシーブユニットとの各々にワイヤの張力を調節するための張力調整機構を設置したことに特徴を有する。したがって、従来のように、張力調整機構がモータに対して負荷を与えることにはならず、手動でスライドドアを開閉させる場合にもスムースに開閉させることができる。
【００１０】
請求項２の発明は、フロントシーブユニットとリアシーブユニットとの各々に設置された張力調整機構は、捻りばねと、該捻りばねに付勢された滑車と、該滑車が移動する摺動溝とを有し、ワイヤが弛んだ場合には捻りばねの付勢する方向に滑車が移動し、ワイヤが緊張した場合には捻りばねの付勢する方向とは逆の方向に滑車が移動することに特徴を有する。したがって、捻りばねのばね定数を予めワイヤの弛みを無くす程度の値に設定しておけばモータに余分なトルクが負荷されることがなく、ばねの伸縮に伴い摩擦音が発生することもない。
【００１１】
【発明の実施の形態】
次に、本発明の実施形態を図面に基づいて説明する。図１は本発明に係る電動スライドドアの開閉装置全体を示す説明図である。この図に示すようにスライドドア７の一端にドアヒンジ８が取り付けられており、このドアヒンジ８にワイヤ４の一部が固定され、このワイヤ４を駆動源であるモータ６が巻取り部９を正逆回転させることによってガイドレール１０上をドアヒンジ８が移動し、スライドドア７の開閉がなされるのである。
【００１２】
ここで、ドアヒンジ８が図面上ガイドレール１０の左側に位置する時にスライドドア７は全開された状態にあり、ガイドレール１０の右側に位置する時にスライドドア７は全閉された状態にある。
【００１３】
そして、図面上ガイドレール１０の左側に設置されているのがリアシーブユニット１１であり、右側に設置されているのがフロントシーブユニット１２である。
【００１４】
図２はフロントシーブユニットの斜視図であり、図３は平面図である。この図に示すようにフロントシーブユニット１２は２枚のプレート１３，１３の間に方向変換用の滑車１４ａ，１４ｂが設置されており、この滑車１４ａ，１４ｂの間に張力調整用の滑車１５が設置された構成としている。また、張力調整用の滑車１５はその両側を捻りばね１６，１６から伸びるレバー１６ａ，１６ａによって付勢され、円弧状の溝１７に沿って摺動することができるようになっている。
【００１５】
そして、最初にワイヤ４を設置するときには張力調整用の滑車１５が溝１７の中央に位置するようにしておいて、ワイヤ４が弛んだ状態となった場合には図４に示すように張力調整用の滑車１５は円弧状の溝１７の上方に移動してワイヤ４が方向変換用の滑車１４ａ，１４ｂ間においてへの字状となって弛みを除去している。一方、ワイヤ４の張力が通常よりも強くなった場合には図５に示すように張力調整用の滑車１５は円弧状の溝１７の下方に移動してワイヤ４が方向変換用の滑車１４ａ，１４ｂ間において直線状となって張力を低下させるようにしているのである。
【００１６】
図６はリアシーブユニットの斜視図であり、図７は平面図である。この図に示すようにリアシーブユニット１１も上述のフロントシーブユニット１２と同様に２枚のプレート１８，１８間に方向変換用の滑車１９ａ，１９ｂが設置されており、この滑車１９ａ，１９ｂの間に張力調整用の滑車２０が設置された構成としている。また、張力調整用の滑車２０はその両側を捻りばね２１から伸びるレバー２１ａによって付勢され、直線状の溝２２に沿って摺動することができるようになっている。ここで、張力調整用の滑車２０をワイヤ４の張力の増減に対応して滑らかに移動させるにはフロントシーブユニット１２のように溝を円弧状にするのが好ましいが、リアシーブユニット１１のようにスペースに制約がある場合には溝を直線状としてもよいのである。
【００１７】
そして、上述のフロントシーブユニット１２と同様にして最初にワイヤ４を設置するときには張力調整用の滑車２０が溝の中央に位置するようにしておいて、ワイヤ４が弛んだ状態となった場合には図８に示すように張力調整用の滑車２０は直線状の溝２２の上方に移動してワイヤ４が滑車１９ａ，１９ｂ間においてへの字状となって弛みを除去している。一方、ワイヤ４の張力が通常よりも強くなった場合には図９に示すように張力調整用の滑車２０は直線状の溝２２の下方に移動してワイヤ４が滑車１９ａ，１９ｂ間において直線状となって張力を低下させるようにしているのである。
【００１８】
尚、本発明の趣旨を逸脱しない範囲において、種々の実施形態をとるこができることは言うまでもない。例えば、上記実施形態の電動スライドドアの開閉装置では２個の捻りばねのレバー１６ａ，１６ａを使用して張力調整用の滑車１５を上下方向に平行移動させる構成としているが、フロントシーブユニット１２とリアシーブユニット１１との各々にワイヤ４の張力を調節するための張力調整機構を有するものであれば本発明の効果を奏することができるのである。
【００１９】
【発明の効果】
請求項１の発明は、スライドドアにヒンジを介して連結されたワイヤと、このワイヤが巻き回されモータにより駆動される巻取り部とを備え、前記モータを正逆回転して前記スライドドアを開閉するスライドドアの開閉装置であって、ワイヤの方向変換をするためにガイドレールの一端に方向変換用の滑車を有するフロントシーブユニットを設置し、他端に方向変換用の滑車を有するリアシーブユニットを設置し、フロントシーブユニットとリアシーブユニットとの中間に前記巻取り部を設置したものであって、該フロントシーブユニットとリアシーブユニットとの各々にワイヤの張力を調節するための張力調整機構を設置したことに特徴を有するので、従来のようにワイヤの巻取り部近傍に張力調整機構を設置していないので、モータへの負荷を小さくすることができ、手動でスライドドアを開閉する時にも張力調整機構の抵抗がないのでスムースに開閉することができる。
【００２０】
請求項２の発明は、フロントシーブユニットとリアシーブユニットとの各々に設置された張力調整機構は、捻りばねと、該捻りばねに付勢された滑車と、該滑車が移動する摺動溝とを有し、ワイヤが弛んだ場合には捻りばねの付勢する方向に滑車が移動し、ワイヤが緊張した場合には捻りばねの付勢する方向とは逆の方向に滑車が移動することに特徴を有するので、捻りばねのばね定数をワイヤの弛みを無くすのに必要な値に設定しておけば余分なトルクがモータに負荷されることがなく、スムースにスライドドアを開閉することができると共に従来の張力調整機構のようにばねと筒とが擦れ合うことがないので、耳障りな擦れ音を発生することもない。
【図面の簡単な説明】
【図１】本発明に係る電動スライドドアの開閉装置全体を示す説明図である。
【図２】フロントシーブユニットの斜視図である。
【図３】フロントシーブユニットの平面図である。
【図４】フロントシーブユニットの動作を示す説明図である。
【図５】フロントシーブユニットの動作を示す説明図である。
【図６】リアシーブユニットの斜視図である。
【図７】リアシーブユニットの平面図である。
【図８】リアシーブユニットの動作を示す説明図である。
【図９】リアシーブユニットの動作を示す説明図である。
【図１０】従来の電動スライドドアの開閉装置全体を示す説明図である。
【図１１】従来のワイヤの張力調整機構を示す説明図である。
【符号の説明】
１  ばね
２  筒
３  ワイヤチューブ保持部材
４  ワイヤ
５  ワイヤチューブ
６  モータ
７  スライドドア
８  ドアヒンジ
９  巻取り部
１０  ガイドレール
１１  リアシーブユニット
１２  フロントシーブユニット
１３，１８  プレート
１４ａ，１４ｂ，１９ａ，１９ｂ  方向変換用の滑車
１５，２０  張力調整用の滑車
１６，２１  捻りばね
１６ａ，２１ａ  レバー
１７  円弧状の溝
２２  直線状の溝
【図１】
2004162478.tif 000003
【図２】
2004162478.tif 000004
【図３】
2004162478.tif 000005
【図４】
2004162478.tif 000006
【図５】
2004162478.tif 000007
【図６】
2004162478.tif 000008
【図７】
2004162478.tif 000009
【図８】
2004162478.tif 000010
【図９】
2004162478.tif 000011
【図１０】
2004162478.tif 000012
【図１１】
2004162478.tif 000013